(57)【要約】【課題】野縁を変形させることなく野縁受に取り付けることができるようにすると共に、取付時における野縁の軸方向への移動を抑制することができる野縁取付具を提供すること。【解決手段】野縁取付具１は、長尺の柄２の先端部に、天井に取り付けられている野縁受１００に引掛ける引掛け部材３と、該引掛け部材３を野縁受１００に引掛けた状態で野縁受１００の下方で野縁受１００と直交するように配置されている野縁２００を野縁受１００の方へ押圧する押圧部材４とを備えており、野縁受１００に引掛け部材３を引掛けて、柄２の持ち手５を手前に引き上げる際、押圧板１０は野縁２００の下面２０１と面接触した状態を保ちながら摺動する。【選択図】      図４
2004176394.tif 000002
【特許請求の範囲】
【請求項１】
長尺の柄の先端部に、天井に取り付けられている野縁受に引掛ける引掛け部材と、該引掛け部材を前記野縁受に引掛けた状態で前記野縁受の下方で前記野縁受と直交するように配置されている野縁を前記野縁受の方へ押圧する押圧部材とを備えてなる野縁取付具において、
前記引掛け部材は、前記野縁の幅より少し大きい間隔をおいて対峙する一対の薄板状の引掛け板と、該引掛け板の上端部に前記柄の軸方向と略直交する方向へ突出する一対の突出部とを有し、
前記押圧部材は、前記一対の引掛け板間の下端部に回転自在に設けられた回転軸と、該回転軸に固着され前記野縁の下方に当接する押圧板とを、
備えてなることを特徴とする野縁取付具。
【請求項２】
前記引掛け部材の一対の引掛け板間の下端部に底板を設け、該底板に前記長尺の柄の先端部を固定したことを特徴とする請求項１に記載の野縁取付具。
【請求項３】
前記押圧部材の押圧板は、その回転中心を前記引掛け部材の突出部と反対方向へずらせて回転軸と固着することにより、その突出部側の端部を前記引掛け部材の底板に接触させてその上面を前記突出部側に傾斜させてなることを特徴とする請求項２に記載の野縁取付具。
【発明の詳細な説明】
【０００１】
【発明の属する技術分野】
本発明は、建物の組み天井の下地の施工において野縁を野縁受に取り付けるための工具に関する。
【０００２】
【従来の技術】
建物の組み天井の下地は、図６、図７または図８に示すように、鋼製の野縁受１００に所定の間隔をおいて設けられた複数の取付金具３００に鋼製の野縁２００を野縁受１００と略直交するように１本ずつ嵌着することにより構成される。取付金具３００は、その各上端部が内側に傾斜して野縁２００の側面の凹部２０２に係合することにより野縁２００を挟持する一対の挟持片３０１を有しており、野縁２００は、下方から取付金具３００に圧入され嵌着される。
【０００３】
野縁２００を取付金具３００に嵌着させる際、野縁２００を下方から押し上げるだけでは、野縁２００を取付金具３００に嵌着させるのに十分な押圧力を与えることが困難であるので、この嵌着を容易にするために、野縁取付具５０が提案されている。
【０００４】
この従来の野縁取付具５０は、図６に示すように、棒状の本体５１の一方端部に平角材からなる２本の肢片５２Ｌ、５２Ｒが接合された長尺の柄５３と、帯状に延びる鋼製プレートの一端部を鉤状に折曲させることにより両肢片５２Ｌ、５２Ｒの上側端からそれぞれ前方へ延出する２個の係止片５４Ｌ、５４Ｒと、両肢片５２Ｌ、５２Ｒの間に架設された平角材からなる押圧部材５５とを有して構成されている。
【０００５】
野縁取付具５０を用いた野縁２００の取付金具３００への取付は、以下の手順で行われる。
まず、野縁２００の両端部を任意の手段で取付金具３００に取り付け、野縁２００を野縁受１００に仮固定する。この両端部の取付は容易に行うことができる。このとき、野縁２００の中間部は、この中間部にある野縁受１００の取り付けられている取付金具３００の真下に位置しているものの嵌着されておらず、若干たわんだ状態となっている。この状態にある野縁受１００と野縁２００とを嵌着させることがこの野縁取付具５０の役目である。そのために、図６、図７に示すように、野縁取付具５０をその係止片５４Ｌ、５４Ｒが前方に延出するように持ち、両肢片５２Ｌ、５２Ｒの間で野縁２００を挟みながら係止片５４Ｌ、５４Ｒを野縁受１００に引掛ける。この状態で、柄５３の下端部を手前側に引き上げる。
これにより、図７に示すように、野縁取付具５０は、係止片５４Ｌ、５４Ｒの先端部を支点Ｐとして、てこのように作用し、押圧部材５５が野縁２００の下面２０１に当って野縁２００を上方へ押圧するので、野縁２００は取付金具３００に圧入され嵌着する。
【０００６】
このように、野縁取付具５０を用いれば、てこの原理が作用することから大きな力を必要とせず野縁２００を取付金具３００に容易に嵌着させることができる。また、長尺の柄５３を介して野縁２００の取付作業を行うことができるので、脚立等の作用台を用いることなく作業を行うことができる。
【０００７】
【特許文献１】
特開２０００−３２０１４４号公報（頁２−４、図１−３）
【０００８】
【発明が解決しようとする課題】
しかしながら、上記の野縁取付具５０には、以下に示す問題点がある。
まず、図７に示すように、押圧部材５５は、平角材であって、柄５３に固定されているので、柄５３を手前側に引き上げると、押圧部材５５は野縁２００の下面２０１に線接触し、この接触面に力が集中するので、野縁２００の下面２０１が凹む等変形することがあるという問題点がある。変形した野縁２００は外観状見苦しくなるので取り替えなければならず、手間と費用がかかるという問題点がある。
【０００９】
また、押圧部材５５と野縁２００が係合し、かつ、押圧部材５５の支点Ｐを中心とする円運動に伴う上方への移動と共に横方向への移動も多少発生するので、野縁２００が押圧部材５５に引っ張られて軸方向に移動することがあるという問題点がある。そのために、移動した野縁２００を元の位置に戻す作業が必要となり、手間がかかるという問題点がある。
【００１０】
更に、図８に示すように、野縁取付具５０は、両肢片５２Ｌ、５２Ｒも平角材であるので、隣合う２本の野縁２００の設置間隔が狭い場合や野縁２００が壁際に設けられている場合には用いることができないという問題点がある。
【００１１】
本発明は、上記課題に鑑みてなされたものであり、野縁を変形させることなく野縁受に取り付けることができるようにすると共に、取付時における野縁の軸方向への移動を抑制することができる野縁取付具を提供することを目的とする。
【００１２】
【課題を解決するための手段】
前記目的を達成するためになされた本発明の請求項１に記載の野縁取付具は、長尺の柄の先端部に、天井に取り付けられている野縁受に引掛ける引掛け部材と、該引掛け部材を前記野縁受に引掛けた状態で前記野縁受の下方で前記野縁受と直交するように配置されている野縁を前記野縁受の方へ押圧する押圧部材とを備えてなる野縁取付具において、前記引掛け部材は、前記野縁の幅より少し大きい間隔をおいて対峙する一対の薄板状の引掛け板と、該引掛け板の上端部に前記柄の軸方向と略直交する方向へ突出する一対の突出部とを有し、前記押圧部材は、前記一対の引掛け板間の下端部に回転自在に設けられた回転軸と、該回転軸に固着され前記野縁の下方に当接する押圧板とを、備えてなることを特徴とするものである。
【００１３】
請求項２に記載の野縁取付具は、請求項１に記載の野縁取付具において、前記引掛け部材の一対の引掛け板間の下端部に底板を設け、該底板に前記長尺の柄の先端部を固定したことを特徴とするものである。
【００１４】
請求項３に記載の野縁取付具は、請求項２に記載の野縁取付具において、前記押圧部材の押圧板は、その回転中心を前記引掛け部材の突出部と反対方向へずらせて回転軸と固着することにより、その突出部側の端部を前記引掛け部材の底板に接触させてその上面を前記突出部側に傾斜させてなることを特徴とするものである。
【００１５】
【発明の実施の形態】
以下、本発明の実施の形態について図面に基づいて説明する。
本実施の形態に係る野縁取付具１は、図１または図２に示すように、鋼製であって、長尺の柄２の先端部に、天井に取り付けられている野縁受１００に引掛ける引掛け部材３と、該引掛け部材３を野縁受１００に引掛けた状態で野縁受１００の下方で野縁受１００と直交するように配置されている野縁２００を野縁受１００の方へ押圧する押圧部材４とを備えている。以下、更に詳細に説明する。
【００１６】
柄２は、図１に示すように、内部が中空の棒体であって、先端部に引掛け部材３及び押圧部材４が設けられ、基端部に持ち手５が設けられている。その長さは、平均的な身長の成人が床上で持ち手５を把持した状態で、先端部が天井の下地に容易に届く程度に設定する。本実施の形態では、柄２を１本の棒体から構成しているが、持ち運び等を考慮して入れ子構造としたり、長さ方向に連結可能とした短尺の棒体を継ぎ合せたりして構成するようにしてもよい。
【００１７】
引掛け部材３は、図１または図２に示すように、対峙する一対の薄板からなる引掛け板６Ｌ、６Ｒと、該一対の引掛け板６Ｌ、６Ｒの上端部に柄２の軸方向と略直交する方向へ突出する一対の突出部７Ｌ、７Ｒを有している。一対の引掛け板６Ｌ、６Ｒの設置間隔は、野縁２００を挟みやすくするために、野縁２００の幅より少し大きくしている。また、一対の引掛け板６Ｌ、６Ｒ間の下端部に底板８を設けると共に、該底板８の下面の中央部に柄２の先端部を固定しているので、柄２の真上に引掛け部材３が位置することとなり、野縁取付具１の省スペース化を図ることができる。
【００１８】
押圧部材４は、図１、図３または図４に示すように、一対の引掛け板６Ｌ、６Ｒ間の下端部に回転自在に設けられた回転軸９と、該回転軸９に固着され野縁２００の下面２０１に当接する押圧板１０とを備えている。
押圧板１０は、引掛け部材３の底板８と略等しい大きさの四角形板であって、その回転中心１０Ｃを引掛け部材３の一対の突出部７Ｌ、７Ｒと反対方向へずらせて回転軸９と固着することにより、その突出部側の端部１１を自重によって引掛け部材３の底板８の接触させて、その上面１２を突出部側に傾斜させている。引掛け部材３の一対の突出部７Ｌ、７Ｒと押圧板１０の回転中心１０Ｃまでの垂直距離は、野縁受１００の上面１０１から取付後の野縁２００の下面２０１までの距離より大きくし、引掛け部材３の一対の突出部７Ｌ、７Ｒを野縁受１００に引掛け易くしている。なお、上面１２は野縁２００との摩擦を少なくするために滑らかにしておくことが望ましい。
また、本実施の形態では、回転軸９を固定軸９Ａと該固定軸９Ａに回転自在に環装された管体９Ｂから構成し、該管体９Ｂに押圧板１０を固着しているが、これに限定されるものではない。
【００１９】
上記構成からなる野縁取付具１を用いた野縁２００の野縁受１００への取付は、以下の手順で行う。
まず、図２、図３に示すように、予め長尺な野縁２００の両端部を、任意の手段で天井に取り付けられている野縁受１００に所定間隔で固定されている取付金具３００に取り付けて、野縁２００を野縁受１００の下方で野縁受１００と直交するように野縁受１００の仮固定する。このとき、野縁２００の中間部は、取付金具３００の真下に位置しているがまだ嵌着されておらず、若干たわんだ状態となっている。
次いで、図３に示すように、一対の突出部７Ｌ、７Ｒが前方を向くように把持して、野縁取付具１を持ち上げ、一対の引掛け板６Ｌ、６Ｒで野縁２００を挟みながら、柄２の先端部を若干手前に倒すようにして一対の突出部７Ｌ、７Ｒを野縁受１００の上面１０１に引掛けると共に、図４に示すように、その突出部側の端部１１が野縁２００の下面２０１に当接するまで押圧板１０を回転させて、上面１２を野縁２００の下面２０１と面接触させる。
【００２０】
この状態で、図４、図５に示すように、柄２を手前側に引き上げると、野縁取付具１は、一対の引掛け板６Ｌ、６Ｒと野縁受１００との接触点を支点Ｐとして作用し、押圧板１０が野縁２００を上方へ押圧する。これにより、野縁２００が取付金具３００に圧入されて、取付金具３００の挟持片３０１と野縁２００の凹部２０２とが係合し、野縁２００が取付金具３００に嵌着される。
このとき、図４に示すように、柄２及び引掛け部材３は支点Ｐを中心として回転するが、押圧板１０は、引掛け部材３に対して回転自在であり、力が加えられた状態で野縁２００の下面２０１と滑らかに面接触しているので、柄２及び引掛け部材３と共に回転せず、野縁２００の下面２０１と面接触した状態で手前側に摺動する。
【００２１】
以上のようにして、順次中間部にある取付金具３００と野縁２００を嵌着させてゆくことにより、野縁２００を、複数の取付金具３００を介して野縁受１００に取り付けることができる。
【００２２】
野縁取付具１を用いれば、図３、図４に示すように、野縁受１００に引掛け部材３を引掛けて、柄２を手前に引き上げるだけで、野縁２００は押圧板１０に押圧されて取付金具３００に嵌着される。柄２の引き上げの際、押圧板１０は野縁２００の下面２０１と面接触した状態を保ちながら摺動するので、この接触面に荷重が集中することはない。したがって、野縁２００の下面２０１に凹み等の変形を生じさせることなく、また、野縁２００が押圧板１０と係合してその軸方向へ引っ張られることもない。
【００２３】
また、野縁取付具１は、図５に示すように、引掛け部材３のの一対の引掛け板６Ｌ、６Ｒを薄板で構成しているので、隣合う２本の野縁２００の設置間隔が狭い場合や野縁２００が壁際に設けられている場合にも用いることができる。
【００２４】
更に、図３に示すように、押圧板１０の回転中心１０Ｃを引掛け部材３の一対の突出部７Ｌ、７Ｒと反対方向へずらせて回転軸９と固着しているので、野縁取付具１を野縁受１００及び野縁２００から取り外すだけで、そのアンバランスな自重によって押圧板１０の突出部側の端部１１が底板８と接触するまで突出部側に回転するので、その上面１２は一対の突出部７Ｌ、７Ｒ側に傾斜した状態に自然に復帰する。これにより、野縁取付具１を持ち上げたままの状態で作業をすることができ、作業のスピードアップを図ることができる。
【００２５】
【発明の効果】
以上説明したように、本発明の請求項１に記載の野縁取付具によれば、押圧部材を回転自在としているので、野縁の下面との接触面積を大きくすることができ、この接触面に力が集中することを防止して、野縁の下面が凹む等変形することを防止することができるという利点がある。
【００２６】
また、押圧板が野縁の下面に沿って摺動するので、野縁がその軸方向に引っ張られることがないという利点がある。
これらにより、野縁を取り替える等の手間を省くことができるので、作業性を向上させ、コストダウンを図ることができるという利点がある。
【００２７】
更に、引掛け部材の引掛け板を薄板状としているので、隣合う２本の野縁の設置間隔が狭い場合や野縁が壁際に設けられている場合であっても用いることができるという利点がある。
【００２８】
請求項２に記載の野縁取付具によれば、柄の真上に引掛け部材が位置することなり、野縁取付具の省スペース化を図ることができるという利点がある。
【００２９】
請求項３に記載の野縁取付具によれば、野縁取付具を野縁受及び野縁から取り外すだけで、押圧板は、そのアンバランスな自重によって、その上面が突出部側に傾斜した状態に自然に復帰するので、野縁取付具を持ち上げたままの状態で作業をすることができ、作業性を向上させることができる。
【図面の簡単な説明】
【図１】本発明の実施の形態に係る野縁取付具を示す一部破断斜視図である。
【図２】本発明の実施の形態に係る野縁取付具による野縁の野縁受への取り付けの手順を示す斜視図である。
【図３】本発明の実施の形態に係る野縁取付具による野縁の野縁受への取り付けの手順を示す図である。
【図４】本発明の実施の形態に係る野縁取付具による野縁の野縁受への取り付けの手順を示す図である。
【図５】本発明の実施の形態に係る野縁取付具による野縁の野縁受への取り付けの手順を示す図である。
【図６】従来の野縁取付具による野縁の野縁受への取り付けの手順を示す斜視図である。
【図７】従来の野縁取付具による野縁の野縁受への取り付けの手順を示す図である。
【図８】従来の野縁取付具による野縁の野縁受への取り付けの手順を示す図である。
【符号の説明】
１  野縁取付具
２  柄
３  引掛け部材
４  押圧部材
６Ｌ、６Ｒ  引掛け板
７Ｌ、７Ｒ  突出部
８  底板
９  回転軸
１０  押圧板
１１  端部
１２  上面
１００  野縁受
２００  野縁
【図１】
2004176394.tif 000003
【図２】
2004176394.tif 000004
【図３】
2004176394.tif 000005
【図４】
2004176394.tif 000006
【図５】
2004176394.tif 000007
【図６】
2004176394.tif 000008
【図７】
2004176394.tif 000009
【図８】
2004176394.tif 000010